(57)【要約】    【課題】  異なる発音音高間でリードの共通化を可能として、構成を簡単にすると共にコストを削減する。    【解決手段】  各リード構成体ＲＡＳは、ベースキャップ１とベース２とでリード３の基端部３ａを固定し、リード３の先端部３ｃにリードヘッドＲＨ１を取り付けて構成される。リード３は、全長に亘って一様の幅ａ、厚みｔに設定され、全長も含めて全音高について同一構成とされる。各リード３の発音音高は、質量の異なる３種類のリードヘッドＲＨ１のうちいずれを選択するかと、突き出し長さＬｎｅｔとによって定まる。リードヘッドＲＨ１は、被取付部１０、錘部１１及び振動ストッパ１２から構成される。錘部１１は高比重樹脂で構成され、その音高調整部１１ａをレーザ光で溶解加工することで、調律がなされる。【選択図】    図１
2006003386.tif 000002
【特許請求の範囲】
【請求項１】
各々別体で構成され、振動して個々に発音する複数のリード（３）と、
前記複数のリードとは別体で構成され、少なくとも１つのリードに対応して設けられ、対応するリードの基端部を固定する少なくとも１つの固定部（１、２）とを有し、
前記固定部は、対応するリードの当該固定部からの突き出し長さを個別に調節可能に構成されたことを特徴とするオルゴール用リード構成体。
【請求項２】
前記リードの自由端部に固定可能に構成され、複数種類の質量の錘体（ＲＨ１）が存在するように各々の質量が設定された複数の錘体をさらに有し、前記各リードの対応する固定部からの突き出し長さと前記各リードの自由端部に固定される錘体との組み合わせによって、前記複数のリードの発音音高が音階を構成するように構成されたことを特徴とする請求項１記載のオルゴール用リード構成体。
【請求項３】
振動して個々に発音する複数の金属製のリードと、
樹脂部を含んで成り、複数種類の質量の錘体が存在するように各々の質量が設定された複数の錘体とを有し、
前記複数の各リードの自由端部に当該リードの目標発音音高に応じた質量を有する錘体が固定されたことを特徴とするオルゴール用リード構成体。
【請求項４】
振動して個々に発音する複数のリード（７、３７、４１）と、
前記複数のリードとは別体で構成され、少なくとも１つのリードに対応して設けられ、対応するリードの基端部を固定する少なくとも１つの固定部（５、６、３４、３８）と、
複数の錘体とを有し、
前記各リードの全長と前記各リードの自由端部に固定される錘体の質量の少なくとも一方を各リード毎に設定することで、前記複数のリードの発音音高が音階を構成するように構成されたことを特徴とするオルゴール用リード構成体。
【請求項５】
前記複数のリードは各々別体で構成されると共に、各リードの基端部（７ａ）は他の部分に対して幅広に形成され、前記各リードは、前記基端部の幅広に形成された部分（７ｄ）の一部が、対応する固定部から前記各リードの自由端部方向へ突出するように、前記対応する固定部に固定されたことを特徴とする請求項４記載のオルゴール用リード構成体。
【請求項６】
前記複数の錘体は、合成樹脂部（１１）を含んで成り、前記各リードに固定された後に前記合成樹脂部の一部が加工により除去されることで、当該錘体が固定されたリードの発音音高を微調整可能に構成されたことを特徴とする請求項２〜５のいずれか１項に記載のオルゴール用リード構成体。
【発明の詳細な説明】
【技術分野】
【０００１】
本発明は、振動して発音するリードを含んで構成されるオルゴール用リード構成体に関する。
【背景技術】
【０００２】
従来、オルゴール用のリード構成体は、複数のリードが共通の基端部から延設されて櫛歯状に一体的に構成されるものが一般的である。あるいは、下記特許文献１等に示されるように、複数のリードを各々別体で構成し、リードを台座に各々取り付けて構成されるものもある。
【０００３】
上記櫛歯状のリード構成体は、例えば次のようにして製造される。すなわち、まず、リードの共通基端部の厚み程度の厚手の高炭素含有の鋼板（ＳＫ材等）から、フライス加工等によって板状部材を削り出す。次に、各リードを共通基端部で片持ち状態した場合における突き出し部に相当する薄板振動部（胴部）乃至先端部（自由端部）となる部分を形成する。そして、鉛等の高比重金属を上記板状部材の先端部に溶着固定し、その後、個々のリードが目標となる発音音高に応じた長さとなるように、櫛歯状に切り出して、全体形状を形成する。
【０００４】
一方、調律、すなわち、個々の発音音高の微調整は、主として各リードの先端部の高比重金属を個別に切削加工で除去することでなされ、時には、リードの薄板振動部を切削除去する場合もある。
【０００５】
また、上記、各リードが別体で構成されるリード構成体においても、各リードは発音音高に応じた長さ、幅、厚みとなるように、鋼板等から個々に削り出され、またはプレス加工で形成される。また、調律についても、各リードの基端部を台座等に保持固定した後、上記櫛歯状のリード構成体と同様に行うことが可能である。
【特許文献１】特開平６−６７６５０号公報
【発明の開示】
【発明が解決しようとする課題】
【０００６】
しかしながら、上記櫛歯状のリード構成体では、全リードが一体構成であり、１本のリードの音高設定に失敗すれば全体として不良品となるため、全リードの音高を各々適切に設定して全体として音階を構成することが容易でなく、特に正確な調律が求められる高級品に用いられるリード構成体では、歩留まりが悪くなって、コスト上昇につながるという問題があった。また、櫛歯形状を形成する上で、特殊な加工機が用いられることが多く、これもコスト上昇につながる。特に、リードピッチ（リード間の間隔）を種々異ならせたものを製造する場合は、加工工程が複雑となって、一層のコスト上昇となる。
【０００７】
さらに、上記、各リードが別体で構成されるリード構成体においても、音階演奏を実現するためには、通常、全リードの形状を互いに異ならせる必要があり、全体として音階を構成する上で、構成が簡単でなく、コスト上昇につながるという問題があった。
【０００８】
しかも、上記櫛歯状または各リード別体型のリード構成体のいずれにおいても、通常、音高に応じて長さが異なる等のように、各リードの形状が目標音高によって定まってしまうため、形状的制約が大きく、設計上の自由度が小さいことからも、複数リードで音階を適切に構成するのが容易でないという問題があった。
【０００９】
なお、リード先端部の高比重金属やリードの薄板振動部を切削加工する際には、通常、発熱を伴うため、正確な音高測定を行うためにはリードを十分に冷却する必要があり、調律作業の効率化の点でも改善の余地がある。
【００１０】
本発明は上記従来技術の問題を解決するためになされたものであり、その目的は、複数リードで音階を構成することを容易にすることができるオルゴール用リード構成体を提供することにある。
【課題を解決するための手段】
【００１１】
上記目的を達成するために本発明の請求項１のオルゴール用リード構成体は、各々別体で構成され、振動して個々に発音する複数のリードと、前記複数のリードとは別体で構成され、少なくとも１つのリードに対応して設けられ、対応するリードの基端部を固定する少なくとも１つの固定部とを有し、前記固定部は、対応するリードの当該固定部からの突き出し長さを個別に調節可能に構成されたことを特徴とする。
【００１２】
この構成によれば、複数のリードは各々別体で構成されるので製造が容易である。また、固定部は、対応するリードの突き出し長さを個別に調節可能であるので、長さ調節で任意の音高が得られ、異なる発音音高間でリードの共通化が可能であることから、複数リードで音階を構成する上で、構成が簡単でコストも減少する。
【００１３】
上記目的を達成するために本発明の請求項３のオルゴール用リード構成体は、振動して個々に発音する複数の金属製のリードと、樹脂部を含んで成り、複数種類の質量の錘体が存在するように各々の質量が設定された複数の錘体とを有し、前記複数の各リードの自由端部に当該リードの目標発音音高に応じた質量を有する錘体が固定されたことを特徴とする。
【００１４】
この構成によれば、錘体の選択で発音音高を変えられるので、リード長、幅、厚み等の形状を比較的自由に設定することができ、自由度が高く、複数リードで音階を構成するのが容易である。
【００１５】
上記目的を達成するために本発明の請求項４のオルゴール用リード構成体は、振動して個々に発音する複数のリードと、前記複数のリードとは別体で構成され、少なくとも１つのリードに対応して設けられ、対応するリードの基端部を固定する少なくとも１つの固定部と、複数の錘体とを有し、前記各リードの全長と前記各リードの自由端部に固定される錘体の質量の少なくとも一方を各リード毎に設定することで、前記複数のリードの発音音高が音階を構成するように構成されたことを特徴とする。
【００１６】
この構成によれば、各リードの全長と錘体の質量の少なくとも一方を各リード毎に設定することで音階が構成されるので、例えば、錘体を多種類設けて目標発音音高に応じて選択するようにすれば、リード長、幅、厚み等の形状を比較的自由に設定することができ、複数音高間でリードを共通化することも可能である。逆に、リードの全長を目標発音音高に応じて設定すれば、錘体の質量や形状の設定を比較的自由に設定することができ、複数音高間で錘体を共通化することも可能である。従って、設計の自由度が高く、複数リードで音階を構成するのが容易である。
【発明の効果】
【００１７】
本発明の請求項１に係るオルゴール用リード構成体によれば、異なる発音音高間でリードの共通化を可能として、簡単な構成で且つ低コストで、複数リードで音階を構成することを容易にすることができる。
【００１８】
本発明の請求項３に係るオルゴール用リード構成体によれば、設計の自由度を向上させて、複数リードで音階を構成することができる。複数音高間でリードの共通化も可能である。
【００１９】
本発明の請求項４に係るオルゴール用リード構成体によれば、設計の自由度を向上させて、複数リードで音階を構成することができる。複数音高間でリードまたは錘体を共通化することも可能である。
【発明を実施するための最良の形態】
【００２０】
以下、本発明の実施の形態を図面を参照して説明する。
【００２１】
（第１の実施の形態）
図１は、本発明の第１の実施の形態に係るオルゴール用リード構成体のうち１つのリード構成体の分解斜視図である。本オルゴール用リード構成体は、オルゴール装置等に適用され、音階演奏が可能なように、同様の構成で音高の異なるリード構成体ＲＡＳが複数集まって成る。各リード構成体ＲＡＳは、ベースキャップ１、ベース２、リード３及びリードヘッドＲＨ１で主に構成される。
【００２２】
図２（ａ）は、１つのリード構成体ＲＡＳの平面図、図２（ｂ）は、同構成体ＲＡＳの側面図、図２（ｃ）は、同構成体ＲＡＳを自由端部側からみた正面図である。図３は、リードヘッドＲＨ１をベースキャップ１乃至ベース２側からみた外観斜視図である。
【００２３】
図１に示すように、ベースキャップ１の下部にはリード３が嵌合される溝部１ａが、ベース２の上部にはリード３が嵌合される溝部２ａが、長手方向に沿ってそれぞれ形成されている。リード３は、長尺で断面矩形に形成され、図２（ａ）、（ｂ）に示すように、全長に亘って一様の幅ａ、厚みｔに設定される。リード３は、全長に亘って一様であるが、組み付けられてリード構成体ＲＡＳとなった場合を想定して、以降、基端部３ａ、胴部３ｂ、先端部３ｃというように、必要に応じて部位を分けて呼称する。また、以降、基端部３ａからみて先端部３ｃの方向を、「先端方向」と呼称する。
【００２４】
ベースキャップ１及びベース２は、鉄やＳＫ材等の硬い金属でＭＩＭ（metal injection molding）成形または精密ダイキャスト等により製造される。リード３は、ＳＫ材等の金属の薄板より切り出すか、または個々にプレス加工して製造される。一般的には、リードは発音音高によって長さが異なるが、本実施の形態では、いずれの音高用においてもリード３の構成は同一であり、従って、幅ａ、厚みｔだけでなく全長も同一である。
【００２５】
リードヘッドＲＨ１は、被取付部１０、錘部１１及び振動ストッパ１２から構成される。図１、図２（ａ）、（ｂ）に示すように、被取付部１０には、先端方向に突出した被駆動部１０ａが一体に形成されている。組み付け後のリード構成体ＲＡＳにおいては、被駆動部１０ａが、図示しない駆動部により下方から弾かれることで、リード３が振動して発音する。また、図２（ａ）、（ｂ）、図３に示すように、被取付部１０のベースキャップ１乃至ベース２側部分には、リード３の先端部３ｃが差し込まれるための嵌合穴１０ｃが形成されている。さらに、図２（ｂ）、（ｃ）に示すように、被取付部１０の下部には、錘部１１が容易に脱落することなく取り付けられるための錘取付部１０ｂが下方に突出して設けられる。
【００２６】
被取付部１０は、鉄やＳＫ材等の金属でＭＩＭ成形または精密ダイキャスト等により製造される。振動ストッパ１２はＰＥＴ（ポリエチレンテレフタレート）樹脂等でシート状に形成される。振動ストッパ１２は、被駆動部１０ａが弾かれる直前に駆動部と当接することで、リード３の残振動を急速に減衰させてメカノイズを抑制する役割を果たす。錘部１１には、音高調整部１１ａが一体に形成される。音高調整部１１ａは、先端側部分から垂下する垂下片１１ａ１、１１ａ２、１１ａ３で成る。
【００２７】
錘部１１は、高比重樹脂（または超高比重樹脂乃至高比重材料）で一体に構成される。「高比重樹脂」は、樹脂に、金属紛をコンパウンドしたグレードであり、鉄や鉛よりも比重の高いグレードを選択可能である。本実施の形態では、例えば、タングステン（Ｗ）をコンパウンドした比重１１程度の高比重樹脂グレードを採用している。この高比重樹脂グレードは、被削性が合成樹脂と同様に良好で、且つ、比重が金属並に大きいという性質を有する。
【００２８】
リード構成体ＲＡＳの組み付けは次のようにしてなされる。まず、ベースキャップ１の溝部１ａとベース２の溝部２ａとを対向させ、両溝部１ａ、２ａ間にリード３の基端部３ａが嵌合されるように、ベースキャップ１とベース２とを合わせる。その際、ベースキャップ１及びベース２の、リード３の先端部３ｃ方向の端面位置を略一致させる。ベースキャップ１とベース２とは、リード３の基端部３ａを保持固定するので、以降、これらを「固定部」とも呼称する。
【００２９】
すべてのリード３の幅ａ、厚みｔを同一としたので、後述するように、組み付け後の各リード３の発音音高は、先端部３ｃに取り付けられるリードヘッドＲＨ１の重さと、各リード３の「固定部」からの突き出し長さとによって定まる。より厳密には、「固定部」から突き出て振動するリード３の部分とリードヘッドＲＨ１とを合わせた質量Ｍが重心Ｍ０に集中しているとみなしたとき、「固定部」の、リード３の先端部３ｃ方向の端面から重心Ｍ０までの長さＬと質量Ｍとで各リード３の発音音高が規定される（図２（ａ）、（ｂ）参照）。以降、上記質量Ｍと区別して、リードヘッドＲＨ１の実際の単独の質量を、「実質量Ｍｎｅｔ」と呼称する。また、リード３の「固定部」からの突き出し長さ（リード３の先端までの長さ）を、上記長さＬと区別して「突き出し長さＬｎｅｔ」と呼称する（図２（ａ）参照）。
【００３０】
従って、リード３を「固定部」に固定するとき、突き出し長さＬｎｅｔが、目標とする発音音高とするべく予め算出して求めた値となるようにリード３の長手方向の位置を調節する。この調節は、両溝部１ａ、２ａに対してリード３を長手方向にスライド移動させることで容易に行うことができる。そして、ネジ４でベースキャップ１とベース２とを結合する。
【００３１】
上記「固定部」に固定されたリード３の先端部３ｃを、対応するリードヘッドＲＨ１の被取付部１０の嵌合穴１０ｃに差し込み、接着、はめ込み、あるいは低温はんだ等によって固定する。リードヘッドＲＨ１については、まず、アウトサート成形等により、錘部１１を被取付部１０の錘取付部１０ｂに固定する。なお、被取付部１０に対して錘部１１を固定できればよく、はめ込み及び接着によって固定するようにしてもよい。その後、振動ストッパ１２を、被取付部１０の下部に接着等で固定する。なお、振動ストッパ１２の固定は、錘部１１の被取付部１０への固定前に行うようにしてもよい。後述するように、本実施の形態では、リードヘッドＲＨ１の種類は複数（例えば３種類）存在し、これらは、錘部１１の質量（乃至サイズ）が異なっていることに応じて質量Ｍが異なっている。対応するリード３の目標発音音高に応じていずれかの種類のリードヘッドＲＨ１が選択されるが、それらの製造方法はいずれも同様である。
【００３２】
全音高分について同様の作業を行うことで、ほぼ目標発音音高を発音することができる個々のリード構成体ＲＡＳが得られる。突き出し長さＬｎｅｔ及びリードヘッドＲＨ１の種類の選択は、次のようにしてなされる。
【００３３】
図４は、リードヘッドＲＨ１の実質量Ｍｎｅｔ及びリード３の突き出し長さＬｎｅｔの組み合わせによるリード３の発音周波数を示す図である。同図は、リード３の幅ａを２．０ｍｍ、厚みｔを０．４ｍｍにそれぞれ設定して、音高を測定した結果を示す。同図横軸が突き出し長さＬｎｅｔ（ｍｍ）、縦軸が発音周波数Ｆ（Ｈｚ）である。図４において、曲線Ｆ１、Ｆ２、Ｆ３は、リードヘッドＲＨ１の実質量Ｍｎｅｔがそれぞれ０．００３、０．０１、０．０５（ｇ）である場合の発音周波数Ｆを示している。発音周波数Ｆは、下記数式１に示す理論式により規定される。
［数１］
Ｆ＝（１／２π）×（３ＥＩ／ＭＬ３）１／２
上記数式１において、Ｅはリード３（を構成する材料）のヤング率（Ｎ／ｍ２）、Ｉはリード３の慣性モーメント（断面２次モーメント）（ｍ４）であり、Ｉ＝ａｔ３／１２である。質量Ｍ（Ｎ）及び長さＬ（ｍｍ）は上述した通りである。従って、質量Ｍ、長さＬは、実質量Ｍｎｅｔ、突き出し長さＬｎｅｔとは厳密には異なるが、発音周波数Ｆに対する影響の傾向は同じであるため、図４に示す実験結果を参照して突き出し長さＬｎｅｔ及びリードヘッドＲＨ１の種類を選択する。
【００３４】
同図に示すように、実質量Ｍｎｅｔが同じである場合は、突き出し長さＬｎｅｔが長いほど発音周波数Ｆが低く、すなわち発音音高が低くなる。また、突き出し長さＬｎｅｔが同じである場合は、実質量Ｍｎｅｔが重いほど発音音高が低くなる。また、一例として、Ｌｎｅｔ＝８ｍｍの場合について、実質量Ｍｎｅｔを４種類以上（例えば９種類）変えて発音周波数Ｆを測定した。点Ｐ１〜点Ｐ９まで、実質量Ｍｎｅｔを徐々に重くしていくと、それにつれて発音音高が低くなっていることがわかる。
【００３５】
これらの結果に基づいて、本実施の形態では、Ｆ＝１０００〜３４００（Ｈｚ）、５００〜１０００（Ｈｚ）、２００〜５００（Ｈｚ）、という３つの音高範囲に分け、用いる実質量Ｍｎｅｔを、それぞれ、０．００３ｇ、０．０１ｇ、０．０５ｇとした。そして、各種類のリードヘッドＲＨ１に対して、対応するリード３の突き出し長さＬｎｅｔを、例えばそれぞれ８〜２０ｍｍ、１１〜２０ｍｍ、８〜２０ｍｍの範囲で、音階が構成される間隔で設定した。
【００３６】
このようにして、音階に沿った複数のリード構成体ＲＡＳが得られるが、誤差により音高の狂いが生じるのが通常であるため、正確な発音音高を得るため、個々の調律が必要となる。調律は次のようにしてなされる。
【００３７】
すなわち、リードヘッドＲＨ１の錘部１１を、例えば、レーザ光により加工して適当量だけ除去することで、音高の微調節を行う。錘部１１は、合成樹脂であるので、レーザ光を錘部１１の音高調整部１１ａに向けて照射すると、容易に溶解する。音高調整部１１ａの垂下片１１ａ１〜１１ａ３は、互いに隙間を有して並設されているので、例えば、先端方向からレーザ光を照射して、個別に加工が可能であるだけでなく、溶解された部分が自重で落下しやすく、加工が容易である。
【００３８】
従って、上昇させたい発音周波数Ｆの量に応じて必要除去量を算出し、この必要除去量に応じて、どの垂下片１１ａ１〜１１ａ３をそれぞれどの位置（高さ）から除去すべきかを求め、それに応じた位置にレーザ光を照射すればよい。例えば、垂下片１１ａ１は根本から除去し、垂下片１１ａ２は途中の位置から除去し、垂下片１１ａ３はそのまま残す、等の細かい加工が可能であるので、除去量の微調節が容易である。
【００３９】
レーザによる加工は、基本的に非接触溶解加工であり、しかも高比重樹脂はＳＫ材等に比し被削性が良いので、加工による発熱はほとんどない。従って、従来のようにリード３を長い時間冷却する必要がなく、加工後直ちに音高を測定することができ、音高を測定しつつ加工することも可能である。従って、調律作業を効率よくすることができる。なお、非接触溶解加工のように、発熱を極力伴わないような加工方法であれば、レーザ加工でなくてもよい。
【００４０】
このようにして、各々調律がなされた複数のリード構成体ＲＡＳを、例えば並列的に配置して固定し、各リードヘッドＲＨ１の被駆動部１０ａを不図示の駆動部で弾くことで、音階演奏が可能となる。駆動部の動作は、一般的なドラム回転方式によってもよいが、演奏データに基づいてソレノイド等で動作する構成を採用してもよく、本オルゴール用リード構成体の適用範囲は広い。
【００４１】
本実施の形態によれば、ベースキャップ１とベース２とで構成される「固定部」が、リード３の突き出し長さＬｎｅｔを個別に調節可能なように構成されたので、突き出し長さＬｎｅｔとリードヘッドＲＨ１の種類との組み合わせで、広い音階を容易に構成することができ、しかも、全音高についてリード３の共通化を可能としているので、構成が簡単である。特に、各リード３が別体で、単純な形状であるので、製造が容易で歩留まりもよく、コスト低減にも大きく寄与する。
【００４２】
また、リードヘッドＲＨ１の種類の選択により発音音高を変えられるので、リード３を設計する上で、その幅ａ、厚みｔ等の形状を比較的自由に設定することができ、設計の自由度が向上する。この観点からは、リードヘッドＲＨ１の種類は３種類でなく、もっと増やすのが望ましい。例えば、図４で例示したように、全リード３の突き出し長さＬｎｅｔを例えば８ｍｍに統一し、実質量Ｍｎｅｔの異なるリードヘッドＲＨ１を４種類以上（例えば９種類）用意することで、３００〜３４００（Ｈｚ）程度の範囲の発音周波数Ｆをカバーすることができる。これにより、例えば、突き出し長さＬｎｅｔを全音高で共通にしたオルゴール用リード構成体を製造することも可能になる。リードヘッドＲＨ１の種類を多くすれば、リード３の形状の自由度を一層向上させることができる。設計の自由度が高いことから、複数のリード３で音階を適切に構成することが容易である。
【００４３】
さらに、錘部１１は合成樹脂で構成されたので、リード３を傷めることなく調律できると共に、加工が容易で調律作業の効率が向上する。特に、錘部１１は高比重樹脂で構成されたので、体積が小さくて済み、良好な加工性を確保しつつリード３の先端部３ｃ近傍の省スペースを図ることができる。また、鉛を用いる場合に比し、環境破壊のおそれが少ない。しかも、音高調整部１１ａを設けたので、調律作業の効率が一層向上する。
【００４４】
なお、錘部１１については、高比重樹脂を採用したが、例示の材料に限定されず、加工容易性を重視する観点からは、より被削性が良い材料が望ましく、省スペース及び除去量削減を重視する観点からは、比重がより高い材料が望ましい。
【００４５】
〈第１の実施の形態の変形例〉
リードヘッドの形状、リード３とリードヘッドとの固定手法は、上記例示したものに限定されず、次に示すような変形例も採用可能である。
【００４６】
図５（ａ）は、第１の実施の形態の変形例１に係る１つのリード構成体の先端部分を示す側面図である。図５（ｂ）は、第１の実施の形態の変形例２に係る１つのリード構成体の先端部分を示す斜視図である。図６（ａ）は、第１の実施の形態の変形例３に係る１つのリード構成体の先端部分を示す斜視図である。図６（ｂ）は、上記変形例３に係る個々のリード構成体を切り出しで製造する場合における、切り出し前のオルゴール用リード構成体を示す斜視図である。
【００４７】
図５（ａ）、（ｂ）、図６（ａ）、（ｂ）に示すリード構成体は、各々のリードヘッドの構成がリードヘッドＲＨ１と異なり、ベースキャップ１、ベース２、リード３の構成は図１〜図３に示す構成と同様である。
【００４８】
図５（ａ）に示す変形例１のリード構成体は、リードヘッドＲＨ２の構成がリードヘッドＲＨ１と異なる。リードヘッドＲＨ２は、被取付部１３の下部に錘部１４を取り付けると共に、上部、下部に振動ストッパ１５、１６をそれぞれ取り付けて成る。すなわち、被取付部１３は、上下両方向に駆動され得るように構成された点が、リードヘッドＲＨ１の被取付部１０に対して異なる。これにより、被駆動部１３ａを駆動する駆動部の駆動方向が上方に限定されないので、本リード構成体の適用範囲を拡大することができる。
【００４９】
図５（ｂ）に示す変形例２のリード構成体は、リードヘッドＲＨ３の構成及びリード３との固定態様がリードヘッドＲＨ１と異なる。リード３は、リードヘッドＲＨ３の被取付部１７の上部１７ｄにロー付け固定される。また、錘部１８、振動ストッパ２１は、錘部１１、振動ストッパ１２に対して形状が異なるが、その構成及び被取付部１７への取り付けの態様は同様である。この変形例２によれば、図１〜図３の例のようにリード３を被取付部１０の嵌合穴１０ｃにはめ込む構成に比し、リードヘッドＲＨ３の幅寸法を小さくすることができ、特に、図５（ｂ）に示すように、リードヘッドＲＨ３の幅をリード３の幅と略同一とすることで、不図示の隣接する駆動部間の間隔を小さく設定できることから、狭いリードピッチのオルゴールにも本リード構成体を適用することが容易になる。
【００５０】
図６（ａ）に示す変形例３のリード構成体は、リードヘッドＲＨ４の構成及びリード３との固定態様がリードヘッドＲＨ１と異なる。リードヘッドＲＨ３の被取付部１９には、スリット１９ｃが形成され、このスリット１９ｃにリード３を挿入し、低温はんだ等によって固定する。また、錘部２０、振動ストッパ２２は、錘部１１、振動ストッパ１２に対して形状が異なるが、その構成及び被取付部１９への取り付けの態様は同様である。この変形例３によれば、リードヘッドＲＨ４の幅寸法を小さくすることができ、上記変形例２と同様に、狭いリードピッチのオルゴールにも対応容易である。
【００５１】
上記変形例３のリード構成体は、リード３及びリードヘッドＲＨ４が個々に単体で製造されるが、図６（ｂ）示すように、複数分の幅のブロックを製造して切り出しにより個々のリード構成体を製造するようにしてもよい。すなわち、図６（ｂ）に示すように、リードヘッドブロックＲＨＢは、いずれも複数分（例えば、全音高分）のリードヘッドＲＨ４の幅に相当する幅を有する被取付部ブロック３１の下部に、錘部ブロック３２、振動ストッパシート３３を固定して成る。リードプレート３０も、被取付部ブロック３１等と同幅に形成される。被取付部ブロック３１には幅方向に沿ってスリット３１ｃが形成され、このスリット３１ｃにリードプレート３０が挿入固定される。このようにしてできたブロックを、ダイヤモンドカッタ等で縦方向に切断することで、上記変形例３のリード構成体を複数得ることができる。
【００５２】
また、リード３とリードヘッドＲＨ１の被取付部１０とをＳＫ材等で一体ＭＩＭ成形し、リード３とリードヘッドＲＨ１との一体化のための加工を省略するように構成してもよい。これにより、さらなる加工工程の簡略が可能となり、コストも減少する。
【００５３】
なお、本実施の形態において、音高調整部１１ａは、非接触溶解加工で容易に脱落しやすく除去量の調節が容易な形状であればよく、例示した形状に限定されない。
【００５４】
なお、本実施の形態において、リード３は全音高間で共通としたが、例えば、数個の音高領域にグループ化し、各音高領域毎にリード３の構成を同一としてもよい。
【００５５】
（第２の実施の形態）
本発明の第２の実施の形態では、リードの構成が第１の実施の形態と異なる。図７（ａ）は、本発明の第２の実施の形態に係るオルゴール用リード構成体のうち１つのリード構成体の分解斜視図である。図７（ｂ）は、同リード構成体の平面図である。各リード構成体ＲＡＳ２は、ベースキャップ５、ベース６、リード７及びリードヘッドＲＨ１で主に構成される。リードヘッドＲＨ１の図示は省略するが、第１の実施の形態と同一である。ベースキャップ５及びベース６が上記「固定部」に相当する。
【００５６】
リード７の基端部７ａは、胴部７ｂ及び不図示の先端部に比し幅が広い幅広部７ｄを含んでいる。リード７の胴部７ｂ及び不図示の先端部の幅、厚みは、第１の実施の形態におけるリード３と同様に設定される。各リード７の全長は、目標発音音高に応じて異なっている。ベースキャップ５の溝部５ａにリード７の基端部７ａが嵌合されるように、ベースキャップ５とベース２とでリード７の基端部７ａを挟み、これらをネジ８で結合することで、１つのリード構成体ＲＡＳ２が構成される。その際、図７（ｂ）に示すように、リード７は、その幅広部７ｄの一部がベースキャップ５、ベース２から先端方向へ突出するように固定される。調律の手法は、第１の実施の形態と同様である。
【００５７】
本実施の形態によれば、複数リードでの音階構成の容易化に関し、第１の実施の形態と同様の効果を奏するだけでなく、幅広に形成された基端部７ａを固定するので、第１の実施の形態に比し、固定状態が良好となり、音質が向上する。また、幅広部７ｄの一部を固定部から突出させてリードを固定したので、第１の実施の形態におけるリード３の基端部３ａに比し、応力がかかる幅方向の領域が広がる結果、応力集中が分散し、リード７の耐久性が向上する。
【００５８】
また、本実施の形態では、各リード７の全長を目標発音音高に応じて設定したので、リードヘッドＲＨ１の質量や形状の設定を比較的自由に設定することができ、複数音高間、あるいは全音高間でリードヘッドＲＨ１を共通化することも可能である。従って、リードヘッドＲＨ１の設計の自由度が高い。
【００５９】
なお、これとは逆に、リードヘッドＲＨ１の、質量の異なる種類を多種類設けて、目標発音音高に応じてリードヘッドＲＨ１の種類を選択することで、全リード７の全長を複数音高間、あるいは全音高間で共通にしてもよい。好ましくは、リードヘッドＲＨ１を複数種類設けると共に、リード７の全長も複数種類設け、リード７の全長とリードヘッドＲＨ１の種類との組み合わせにより、広音域の音階を構成できるようにしてもよい。なお、上記のようにリード７の基端部７ａを幅広に形成することによる効果を求めず、リード７の構成を単純にして音階を構成可能にするという観点に限っていえば、リード７を、リード３と同様に基端部から先端部まで一様の幅に形成し、音高の設定は、各リード７の全長とリードヘッドＲＨ１の質量の少なくとも一方の設定によって実現することも可能である。
【００６０】
なお、応力の分散という観点からは、リード７の基端部７ａの形状を、上記のように横方向に広くすることに代えて、縦方向に広くしてもよい。
【００６１】
また、リード７とリードヘッドＲＨ１の被取付部１０とをＳＫ材等で一体ＭＩＭ成形し、リードヘッドＲＨ１の錘部１１の調整のみで音高調節を行うようにしてもよい。この場合は、リード７とリードヘッドＲＨ１との一体化のための加工を省略でき、さらなる加工工程の簡略が可能となり、コストも減少する。
【００６２】
なお、第１、第２の実施の形態において、ベースキャップ、ベースは、各リードに対応して１つずつ設けたが、これに限られず、複数リードに１つずつが対応するように構成してもよい。また、対応するリードの数は、ベースキャップとベースとで異なっていてもよい。
【００６３】
（第３の実施の形態）
第１、第２の実施の形態では、オルゴール用リード構成体を構成する個々のリード構成体が別体で構成された。これに対し、本発明の第３の実施の形態では、複数のリードが共通の基端部から延設されて櫛歯状に一体的に構成される。
【００６４】
図８は、本発明の第３の実施の形態に係るオルゴール用リード構成体の分解斜視図である。リードプレート３５は、共通基端部３６から複数のリード３７が同方向に延設されて構成される。各リード３７の幅、厚みは、第１の実施の形態におけるリード３と同様に設定される。各リード３７の全長（共通基端部３６からの延出長さ）は、目標発音音高に応じて異なっている。
【００６５】
リードヘッドＲＨ１の構成は第１の実施の形態と同様であり、リードヘッドＲＨ１が各リード３７の先端部３７ａに固定される。平面視でリードプレート３５の共通基端部３６と略同形状に形成されるベースキャッププレート３４で、リードプレート３５の共通基端部３６を不図示のベースに対して螺着することで、全音高分のオルゴール用リード構成体が構成される。各リード３７に対する調律も第１の実施の形態と同様に行われる。
【００６６】
本実施の形態によれば、調律作業を効率よくすることに関し、第１の実施の形態と同様の効果を奏することができる。
【００６７】
〈第３の実施の形態の変形例〉
リードプレートやベースキャッププレートの形状は、上記図８に示す例に限定されず、図９に示すような形状も採用可能である。図９は、第３の実施の形態の変形例に係るオルゴール用リード構成体の分解斜視図である。リードヘッドＲＨ１の構成は第１の実施の形態と変わりないので、図示を省略する。
【００６８】
図９に変形例を示すように、リードプレート３９の共通基端部４０及びベースキャッププレート３８は、円形状に形成され、共通基端部４０から複数のリード４１が放射状に延設される。各リード４１の構成は、リード３７と同様である。その他の構成、固定手法、調律の手法は、図８に示す例と同様である。
【００６９】
本変形例によれば、リード３７の先端部同士の距離が確保容易であるので、コンパクトでありながら、狭リードピッチのオルゴールにも対応容易である。
【００７０】
なお、共通基端部の形状や、リードの延設方向については、図８、図９に示す例に限定されず、各種構成が採用可能である。
【００７１】
なお、第３の実施の形態においても、第２の実施の形態と同様に、リードヘッドＲＨ１の、質量の異なる種類を多種類設けて、リード３７、４１の全長とリードヘッドＲＨ１の種類との組み合わせにより、広音域の音階を構成できるようにしてもよい。
【００７２】
なお、第１〜第３の実施の形態において、駆動部に弾かれる被駆動部は、被取付部に一体に形成される構成を例示したが、これに限られず、リードの先端が被駆動部の役割を果たすようにしてもよい。その場合、例えば、リードの先端に固定したリードヘッドからリードの先端を突出させ、この突出した先端を、不図示の駆動部が弾くように構成すればよい。
【図面の簡単な説明】
【００７３】
【図１】本発明の第１の実施の形態に係るオルゴール用リード構成体のうち１つのリード構成体の分解斜視図である。
【図２】１つのリード構成体の平面図（図（ａ））、同構成体の側面図（図（ｂ））、及び同構成体を自由端部側からみた正面図（図（ｃ））である。
【図３】リードヘッドをベースキャップ乃至ベース側からみた外観斜視図である。
【図４】リードヘッドの実質量及びリードの突き出し長さの組み合わせによるリードの発音周波数を示す図である。
【図５】第１の実施の形態の変形例１に係る１つのリード構成体の先端部分を示す側面図（図（ａ））、同実施の形態の変形例２に係る１つのリード構成体の先端部分を示す斜視図（図（ｂ））である。
【図６】第１の実施の形態の変形例３に係る１つのリード構成体の先端部分を示す斜視図（図（ａ））、上記変形例３に係る個々のリード構成体を切り出しで製造する場合における、切り出し前のオルゴール用リード構成体を示す斜視図（図（ｂ））である。
【図７】本発明の第２の実施の形態に係るオルゴール用リード構成体のうち１つのリード構成体の分解斜視図（図（ａ））、及び同リード構成体の平面図（図（ｂ））である。
【図８】本発明の第３の実施の形態に係るオルゴール用リード構成体の分解斜視図である。
【図９】第３の実施の形態の変形例に係るオルゴール用リード構成体の分解斜視図である。
【符号の説明】
【００７４】
１、５  ベースキャップ（固定部の一部）、  ２、６  ベース（固定部の一部）、  ３、７  リード、  ３ａ、７ａ  基端部、  ３ｃ  先端部（自由端部）、  ７ｄ  幅広部、  １０、１３、１７、１９  被取付部、  １１、１４、１８、２０  錘部（合成樹脂部）、  ＲＨ１〜ＲＨ４  リードヘッド（錘体）、  Ｌｎｅｔ  突き出し長さ
【図１】
2006003386.tif 000003
【図２】
2006003386.tif 000004
【図３】
2006003386.tif 000005
【図４】
2006003386.tif 000006
【図５】
2006003386.tif 000007
【図６】
2006003386.tif 000008
【図７】
2006003386.tif 000009
【図８】
2006003386.tif 000010
【図９】
2006003386.tif 000011